(57)【要約】【課題】人体、特に子供の健康に対し無害であり、かつ、蟻駆除を行った土壌等の環境に有害な影響を与えず、さらに、蟻を捕獲した後、一回で使い捨てにしない省資源化を指向した蟻駆除器具を提供する。【解決手段】  本発明の蟻駆除器具１は、円筒形状の本体部２と、該本体部２を上方から覆う半球皿状の蓋体３からなり、前記本体部２の中央に糖類を貯留するコップ状の中心部２ａと、該コップ状の中心部２ａの外周面と前記円筒形状の本体部２の内周面との間に油類を貯留する樋状の外周部２ｂとを形成して、前記糖類により蟻を前記円筒形状の本体部２内に誘引し、前記樋状の外周部２ｂの油類中に蟻を落下させて駆除することを特徴とする。 【選択図】図１
2017051154.tif 000002
【特許請求の範囲】
【請求項１】
円筒形状の本体部と、該本体部を上方から覆う半球皿状の蓋体からなり、前記本体部の中央に糖類を貯留するコップ状の中心部と、該コップ状の中心部の外周面と前記円筒形状の本体部の内周面との間に油類を貯留する樋状の外周部とを形成して、前記糖類により蟻を前記円筒形状の本体部内に誘引し、前記樋状の外周部の油類中に蟻を落下させて駆除することを特徴とする蟻駆除器具。
【請求項２】
前記皿状の蓋体の開口端の下端周縁部に形成した篏合用凹部に前記円筒形状の本体部の上端周縁部に半径方向延出して形成したフランジ部を嵌入して前記円筒形状の本体部に前記蓋体を載置して取り付けることを特徴とする請求項１に記載の蟻駆除器具。
【請求項３】
前記フランジ部が前記本体部の上端周縁部に半径方向延出して複数形成されていることを特徴とする請求項１に記載の蟻駆除器具。
【請求項４】
前記本体部と前記蓋体が、薄い透明なプラスティックシート材料を真空成形、射出成形またはブロー成形して製造されることを特徴とする請求項１に記載の蟻駆除器具。
【請求項５】
前記中心部に貯留する糖類が、砂糖、蜂蜜、グラニュー糖、飴玉または水飴のいずれかであることを特徴とする請求項１に記載の蟻駆除器具。
【請求項６】
前記外周部に貯留する油類が、サラダ油等の植物油または鉱物油であることを特徴とする請求項１に記載の蟻駆除器具。
【発明の詳細な説明】
【技術分野】
【０００１】
本発明は、蟻（アリ）駆除器具に係り、特に、蟻駆除器具の中心部の凹部に家庭用の糖類を貯留し、また、その外周部の円環状の樋に家庭用のサラダ油等を貯留して、吸密性の蟻を糖類により外周部におびき寄せ、外周部の樋内に落下させて駆除する蟻駆除器具に関する。
【背景技術】
【０００２】
従来、蟻駆除器具としては、ごきぶりホイホイ（商品名）のように、紙製、プラスティック製の容器内の底面に粘着シートを付着させて、甘い餌で蟻を誘引して捕獲駆除するもの、フマキラー（商品名）のように、直接、蟻に有毒な薬剤を噴霧して駆除するもの、があった。
【０００３】
また、植木鉢等の中に蟻が侵入を防止するために、植木鉢の外面側に、その全周に亘って外方向に張り出した液体を貯留した貯留部を設けて、蟻をこの貯留部で捕獲して蟻の侵入を阻止するものがあった（特許文献１参照）。
【０００４】
さらに、蟻が好む餌と食毒剤とを混ぜた蟻防除用ベイト剤を蟻防除装置の内ケースに設けたベイト剤収容部に収容し、この内ケースを外ケース内に収納し、外ケースの一側面のみに開口部を設けて蟻防除用ベイト剤を収納した内ケース内に蟻を誘引し、このベイト剤を蟻の巣まで運ばせて巣内の蟻を一斉に駆除するもの等（特許文献２参照）があった。
【先行技術文献】
【特許文献】
【０００５】
【特許文献１】特開２０００−１５７０５８号公報
【特許文献２】特開２００７−２０９３３８号公報
【発明の概要】
【発明が解決しようとする課題】
【０００６】
しかしながら、これらの従来の蟻駆除器具では、有毒な薬剤を使用するので、人体、特に子供の健康に、対しては、極めて有害であり、また、それらの蟻駆除器具を用いて蟻駆除を行った土壌等の環境に有害な影響を与えるおそれがあった。
【０００７】
さらに、蟻を捕獲した後、通常一回使用しただけで蟻駆除器具を使い捨てにしているので、資源、材料が無駄となる問題点があった。
【０００８】
また、これらの従来の蟻駆除器具は、蟻を効果的に蟻駆除器具内の誘引するのが不十分であるとともに、風雨に曝される屋外に設置して蟻駆除を行うことが極めて困難であった。
【課題を解決するための手段】
【０００９】
上記した課題を解決するために、本発明の蟻駆除器具は、円筒形状の本体部と、該本体部を上方から覆う半球皿状の蓋体からなり、前記本体部の中央に糖類を貯留するコップ状の中心部と、該コップ状の中心部の外周面と前記円筒形状の本体部の内周面との間に油類を貯留する樋状の外周部とを形成して、前記糖類により蟻を前記円筒形状の本体部内に誘引し、前記樋状の外周部の油類中に蟻を落下させて駆除することを特徴とする。
【００１０】
また、本発明の蟻駆除器具では、前記皿状の蓋体の開口端の下端周縁部に形成した篏合用凹部に、前記円筒形状の本体部の上端周縁部に半径方向延出して形成したにフランジ部を嵌入して、前記円筒形状の本体部に前記蓋体に載置することを特徴とする。
【００１１】
さらに、本発明の蟻駆除器具では、前記フランジ部が前記本体部の上端周縁部に半径方向延出して複数個形成されていることを特徴とする。
【００１２】
またさらに、本発明の蟻駆除器具では、前記本体部と前記蓋体が、薄い透明なプラスティックシート材料を真空成形、射出成形またはブロー成形して製造することを特徴とする。
【００１３】
本発明の蟻駆除器具では、前記中心部に貯留する糖類が、砂糖、蜂蜜、グラニュー糖、飴玉または水飴のいずれかであることを特徴とする。
【００１４】
また、本発明の蟻駆除器具では、前記外周部に貯留する油類が、サラダ油等の植物油または鉱物油であることを特徴とする。
【発明の効果】
【００１５】
本発明によれば、風雨に耐え、耐候性、耐光性に優れた蟻駆除器具が得られるとともに、有害な薬剤を一切使用しないので、人体の健康に全く影響がなく、また蟻駆除器具を設置する土壌等の周囲環境に影響を与えることがない。  
【００１６】
また、蟻駆除器具内に貯留する砂糖等及びサラダ油等を交換すれば、蟻駆除器具を繰り返して半永久的に使用できるので、安価で利用できるようなる。
【００１７】
また、本発明の蟻駆除器具は風雨を防ぐ構成になっているので、雨の日でも屋外で使用でき、通年屋外に蟻駆除器具を設置して蟻の駆除を行うことができる。
【００１８】
さらに、本発明の蟻駆除器具は、円筒状の本体部と蓋体からなるのでその製造が極めて簡単・廉価ででき、かつ、外形形状が円筒状であるから、その設置スペースが節約されるようになる。
【図面の簡単な説明】
【００１９】
【図１】本発明の蟻駆除器具の全体構成の斜視図である。
【図２】蓋体を外して斜め方向から見た蟻駆除器具の全体構成の斜視図である。
【図３】本発明の蟻駆除器具の本体部と蓋体を分離した状態を示す縦断面図である。
【図４】本発明の蟻駆除器具の本体部に蓋体を嵌合した状態を示す縦断面図である。
【図５】本発明の蟻駆除器具の本体部をその上方向から見た平面図である。
【図６】図５に示した本発明の蟻駆除器具の本体部のＡ−Ａ矢視断面図である。
【図７】本発明の蟻駆除器具の蓋体の斜視図である。
【図８】蟻駆除器具の蓋体を図７に示す矢視Ｂ方向から見た底面図である。
【図９】図４に示すＣ−Ｃ矢視方向から本体部と蓋体とを見た平面図である。
【発明を実施するための形態】
【００２０】
以下、本発明の蟻駆除器具の実施例を添付した図面に基いて説明する。
【００２１】
まず、本発明の蟻駆除器具で駆除する蟻について説明すると、蟻には、ミミズや虫の死骸を運んでくる雑食性の蟻と溶けた砂糖や植物に寄生しているアブラムシ等が分泌する密を好む吸密性の蟻がある。
【００２２】
ここで、朽木等の植物遺体を食べるシロアリ（白蟻）は、昆虫綱ではゴキブリ目に属するので本発明の蟻駆除器具で駆除する害虫の対象とせず、吸密性の蟻を本発明の蟻駆除器具による駆除の対象とする。
【００２３】
吸密性の蟻は、砂糖や蜜を好んで舐めるが、餌を持って巣穴に運ぶ習性は弱い。また、雑木林等の周辺の緑の多いところに多く生息する。特に甘い物を好み、一番好きなものに集中して集まるので、蟻が砂糖に集まっている時には、その周りにある食物に集まらないから安全である。
【００２４】
また、蟻はサラダ油等の油類に弱く、その中に落ち込むと溺死してしまう。そのため、巣穴の中にいる蟻を全て駆除できないが、巣穴の外で活動する働き蟻がサラダ油等の中に順次落下して全滅し、蟻の集団が弱体化し、結果として、その巣穴が崩壊することになる。
【００２５】
本発明の蟻駆除器具は、このような蟻の習性を考慮してなされたもので、図１に示すように、蟻駆除器具１は、円形断面の上部に開口を有する透明なプラスティック材からなる円筒状の本体部２と、この本体部２をその上面から覆って封止する透明なプラスティック材からなる蓋体３とから構成されている。
【００２６】
また、図２に示すように、本体部２の内側の底面から上方に延出してテーパー状の有底の筒体が形成され、その上方部に糖類Ｓを貯留する有底の凹状の中心部２ａ及びテーパー状の筒体の外周面と本体部２の内周面との間に形成された円環状の樋が形成され、サラダ油等Ｏを貯留する外周部２ｂとして機能している。
【００２７】
さらに、本体部２の上端面には、蟻駆除器具１を野外に設置するための雨除け用の蓋体３が載置され、本体部２の上端部に複数のフランジ部２ｃが形成されこの蓋体３を固定するようになっている。
【００２８】
この蓋体３は、透明なプラスティック材からなり、図７に示すように、上方に球面状に膨出して皿状に形成され、図８に示すように、その外周端面から４個のフランジ部３ａが延出して形成されている。
【００２９】
これらの４個のフランジ部３ａには、本発明の蟻駆除器具１を紐、杭等により地面等に固定して風雨等により飛ばされるのを阻止するのに用いる複数の貫通孔３ｃが設けられている。
【００３０】
ここで、蟻駆除器具１のサイズは、平面視で円形であって、その直径が９０mm、高さが５０mm程度、０．３mmから１mm程度の厚みの、透明なプラスティックシートを真空成形、射出成形またはブロー成形して製造する。なお、蟻駆除器具１の平面視の形状は、正方形等の方形状であってもよい。
【００３１】
本体部２の中心部２ａの凹部には、駆除する蟻を蟻駆除器具１内に誘引するために、蟻が好む家庭用の砂糖、蜂蜜、グラニュー糖、飴玉、水飴等Ｓが貯留されている。
【００３２】
また、本体部２の外周部２ｂには、蟻駆除器具１に誘引した蟻をその中に落下させて溺死させるために、家庭用のサラダ油等の植物油Ｏが貯留されている。サラダ油等の植物油他に鉱物油、塩水、珈琲カスを用いることもできる。
【００３３】
本発明の蟻駆除器具１を蟻の駆除に用いるためには、図３に示すように、本体部１に蟻を誘引するために、中心部２ａの凹部内に砂糖、蜂蜜グラニュー糖、飴玉、水飴等を貯留し、中心部２ａの外周側に形成した樋状の外周部２ｂ内に、例えば、食用のサラダ油を所定量貯留する。
【００３４】
そして、図４に示すように、本体部１の上方から蓋体３を被せ、蓋体３の下端縁外周部に形成した篏合用凹部３ｂに、本体部２のフランジ部２ｃを蓋体３の弾性変形を利用して嵌入させて、本体部２を蓋体３により取り付けて本体部２を封止する。  
【００３５】
これにより、図４と図９に示すように、例えば、本体部２の最外周部の円周方向の切り込み部の本体部２のフランジ部２ｃと蓋体３の下端面との間隙に、例えば、４個の蟻の侵入口Ｉが形成されているから、本体部２の外面をよじ登った蟻は、これらの侵入口Ｉから蟻駆除器具１内に誘引、トラッピングされ、家庭用のサラダ油等の植物油または鉱物油が貯留されている樋状の外周部２ｂ内に落下し、溺死して駆除されるようになる。
【００３６】
なお、雑食性の蟻及びダンゴムシに対しては、砂糖にチーズと鰹節をブレンド（混合）したものを利用すると駆除の効果があることが、本発明者により実証されている。
【００３７】
ここで、本発明の蟻駆除器具１は、家屋に蟻が侵入して困っている場合には、蟻の侵入口、通り道、巣穴のいずれかの近傍に設置する。
【００３８】
また、農作物に蟻が集って被害を及ぼし困っている場合には、農作物、蟻の通り道、巣穴のいずれかの近傍に設置する。
【００３９】
そして、本発明の蟻駆除器具に用いる、例えば、食用油は、殆ど経年により劣化しないので、捕獲した蟻が本体部の中心部に溜ったら蟻を廃棄して使用できるので、半永久的に使用可能である。
【産業上の利用可能性】
【００４０】
本発明の蟻駆除器具は、吸密性の蟻の他に雑食性の蟻及びダンゴムシ等の駆除にも利用できる。
【符号の説明】
【００４１】
１    蟻駆除器具
２    本体部
２ａ  中心部
２ｂ  外周部
２ｃ  フランジ部
３    蓋体
３ａ  フランジ部
３ｂ  嵌合用凹部
３ｃ  貫通孔
Ｉ    蟻の侵入口
Ｓ    砂糖
Ｏ    油
【図１】
2017051154.tif 000003
【図２】
2017051154.tif 000004
【図３】
2017051154.tif 000005
【図４】
2017051154.tif 000006
【図５】
2017051154.tif 000007
【図６】
2017051154.tif 000008
【図７】
2017051154.tif 000009
【図８】
2017051154.tif 000010
【図９】
2017051154.tif 000011